(57)【要約】【課題】  扉の不正な開操作を高度に防止することができるゲーム機用施錠装置を提供する。【解決手段】筐体側取付部材４には、当接突起１３ｄを設ける。当接突起１３は、係合部材９が係合位置から解除位置へ向かって中間位置まで回動したときに係合部材９の突起９ｅに突き当たってそれ以上の回動を阻止し、しかも中間位置に回動した係合部材９を上方へ向かって所定の解除距離だけ移動させると、突起９ｅから下方へ離間して係合部材９の解除位置側への回動を許容するように配置する。横孔９ａと縦孔９ｂとの交差部には、中間位置に回動した係合部材９を上方へ向かって解除距離だけ移動したときに係止部４ｃの下端部が入り込む切欠き部９ｆを形成する。【選択図】図２５
2010131242.tif 000002
【特許請求の範囲】
【請求項１】
ゲーム機の筐体とこの筐体に閉位置と開位置との間をほぼ水平方向へ回動可能に設けられた扉とのいずれか一方に設けられた第１取付部材と、他方に設けられた第２取付部材と、上記第１取付部材に設けられた第１ロック部材と、上記第２取付部材に、上記第１ロック部材に係合して上記扉を上記閉位置にロックする施錠位置と、上記第１ロック部材との係合が解除して上記扉の上記閉位置から上記開位置側への回動を許容する解錠位置との間を変位可能に設けられた第２ロック部材と、上記第２取付部材に上下方向へ移動可能に設けられ、上記第２ロック部材が上記施錠位置から上記解錠位置へ向かって変位するときには上下いずれか一方向たる第１方向へ移動し、上記第２ロック部材が上記解錠位置から上記施錠位置へ向かって変位するときには上下いずれか他方向たる第２方向へ移動するように上記第２ロック部材に連結された可動部材と、この可動部材に係合位置と解除位置との間を回動可能に、かつ上下方向へ移動不能に設けられた係合部材と、この係合部材を上記解除位置から上記係合位置へ向かって回動するように付勢する付勢手段とを備え、上記係合部材には、上記係合部材が上記解除位置に位置しているときに長手方向を上下方向に向ける縦溝、及びこの縦溝の長手方向の一端部から横方向に延びる横溝が形成され、上記第２取付部材には、上記係合部材が上記係合位置に位置しているときには上記横溝に入り込んで上記係合部材の上記第１方向への移動を阻止し、上記係合部材が上記解除位置に位置しているときには上記縦溝に入り込んで上記係合部材の上記第１方向への移動を許容する係止部が設けられたゲーム機の施錠装置において、
上記第１及び第２取付部材のいずれか一方には、上記係合部材が上記係合位置から上記解除位置へ向かって回動するときに、上記係止部が上記横溝から上記縦溝に入り込む前に上記係合部材に係合して上記係合部材が所定の中間位置から上記解除位置側へ回動することを阻止する阻止部が設けられていることを特徴とするゲーム機の施錠装置。
【請求項２】
上記阻止部が記係合部材に係合した状態において上記係合部材が上記阻止部に対して上記第１方向又は上記第２方向へ所定の解除距離だけ相対移動すると、上記係合部材と上記阻止部との係合が解除して上記阻止部が上記係合部材の上記中間位置から上記解除位置への回動を許容することを特徴とする請求項１に記載のゲーム機の施錠装置。
【請求項３】
上記阻止部が記係合部材に係合した状態において上記係合部材が上記阻止部に対して上記第１方向へ所定の解除距離だけ移動すると、上記係合部材と上記阻止部との係合が解除して上記阻止部が上記係合部材の上記中間位置から上記解除位置への回動を許容し、上記係合部材の上記一方向への移動に伴って上記第２ロック部材が上記施錠位置から解錠位置側へ変位したとき、上記第２ロック部材が上記解錠位置に変位する前に上記係合部材が上記解除距離だけ移動することを特徴とする請求項１に記載のゲーム機の施錠装置。
【請求項４】
上記阻止部は、上記係合部材が上記係合位置から上記中間位置まで回動したとき、上記横溝内の上記縦溝側の端部に位置するように配置され、上記横溝側に位置する上記縦溝の一側面と上記縦溝の他端部側に位置する上記横溝の一側面との交差部には上記係止部が出没可能に入り込む逃げ部が形成され、上記係止部が上記逃げ部に入り込むことにより、上記係合部材が上記第１方向へ上記解除距離だけ移動可能とされていることを特徴とする請求項３に記載のゲーム機の施錠装置。
【請求項５】
上記第１取付部材には、錠前と、この錠前の開操作により初期位置から上記第１方向へ移動させられる解錠部材とが設けられ、上記解錠部材は阻止部が設けられ、上記解錠部材が上記初期位置に位置しているときには、上記係合部材が上記係合位置から上記中間位置まで回動すると、上記阻止部が上記係合部材に係合して上記係合部材の上記中間位置から上記解除位置側への回動を阻止し、上記解錠部材が上記初期位置から上記第１方向へ所定距離だけ移動すると、上記阻止部と上記係合部材との係合が解除されて上記阻止部が上記係合部材の上記係合位置から上記解除位置までの回動を許容することを特徴とする請求項１に記載のゲーム機の施錠装置。
【発明の詳細な説明】
【技術分野】
【０００１】
この発明は、パチンコ機やパチスロ機等のゲーム機の扉を閉位置に施錠するための施錠装置に関する。
【背景技術】
【０００２】
一般に、パチンコ機やパチスロ機等のゲーム機は、筐体と扉とを備えている。筐体と扉とは、互いに一側部どうしがヒンジを介して水平方向へ回動可能に設けられている。筐体と扉との他側部間には、扉を閉位置に位置固定するための施錠装置が設けられている。
【０００３】
施錠装置は、筐体に取り付けられる筐体側取付部材と、扉に取り付けられる扉側取付部材とを有している。筐体側取付部材には、施錠位置と解錠位置との間をそれぞれ回動可能である上下一対の鉤部材、及びこの一対の鉤部材が上下の両端部にそれぞれ連結され、上下に移動することによって一対の鉤部材を回動させる可動部材が設けられている。一方、扉側取付部材には、上下一対のロック部材が設けられている。扉が閉位置に位置した状態において、可動部材を下方へ移動させると、一対の鉤部材が解錠位置から施錠位置に回動して一対のロック部材にそれぞれ係合する。これによって、扉が閉位置に位置固定される。逆に、可動部材を上方へ移動させると、一対の鉤部材が施錠位置から解錠位置に回動して鉤部材のロック部材に対する係合が解除される。この結果、扉が閉位置から開位置に向かって回動可能になる。
【０００４】
このような構成の施錠装置では、可動部材を上方へ移動させるだけで施錠状態から解錠状態に切り換えることができる。このため、筐体と扉との隙間から針金等を差し込んで可動部材に引っ掛ける。そして、針金を上方へ引っ張って可動部材を上方へ移動させるだけで、扉を不正に開くことができてしまう。
【０００５】
そこで、下記特許文献１に記載の施錠装置においては、可動部材が上方へ簡単に移動させられることを防止するために、可動部材に係合部材が設けられている。係合部材は、可動部材に係合位置と解除位置との間を回動可能に、かつ上下方向へは移動不能に設けられている。係合部材が係合位置に位置すると、係合部材が筐体側取付部材に設けられた係止部に上下方向へ移動不能に係合する。この結果、可動部材が上下方向へ移動不能になり、鉤部材が施錠位置に位置固定される。係合部材が解除位置に回動すると、係合部材と係止部との係合が解除し、係合部材が上下方向へ移動可能になる。この結果、可動部材が上下方向へ移動可能になり、鉤部材が施錠位置から解錠位置へ回動可能になる。
【０００６】
このような係合部材を有する施錠装置によれば、係合部材を係合位置から解除位置まで回動させない限り、可動部材を上方へ移動させることができず、鉤部材を施錠位置から解錠位置まで不正に回動させることができない。つまり、扉を不正に開くためには、係合部材の回動と可動部材の移動という２段階の不正操作が必要である。したがって、扉が不正に開かれる可能性を低くすることができる。
【０００７】
【特許文献１】特許第３１２７２９０号公報
【発明の開示】
【発明が解決しようとする課題】
【０００８】
しかしながら、扉を不正に開く技術も次第に高度化している。そこで、不正な開操作をより一層確実に防止することができる施錠装置の開発が要望されていた。
【課題を解決するための手段】
【０００９】
この発明は、上記の要望に応えるためになされたもので、ゲーム機の筐体とこの筐体に閉位置と開位置との間をほぼ水平方向へ回動可能に設けられた扉とのいずれか一方に設けられた第１取付部材と、他方に設けられた第２取付部材と、上記第１取付部材に設けられた第１ロック部材と、上記第２取付部材に、上記第１ロック部材に係合して上記扉を上記閉位置にロックする施錠位置と、上記第１ロック部材との係合が解除して上記扉の上記閉位置から上記開位置側への回動を許容する解錠位置との間を変位可能に設けられた第２ロック部材と、上記第２取付部材に上下方向へ移動可能に設けられ、上記第２ロック部材が上記施錠位置から上記解錠位置へ向かって変位するときには上下いずれか一方向たる第１方向へ移動し、上記第２ロック部材が上記解錠位置から上記施錠位置へ向かって変位するときには上下いずれか他方向たる第２方向へ移動するように上記第２ロック部材に連結された可動部材と、この可動部材に係合位置と解除位置との間を回動可能に、かつ上下方向へ移動不能に設けられた係合部材と、この係合部材を上記解除位置から上記係合位置へ向かって回動するように付勢する付勢手段とを備え、上記係合部材には、上記係合部材が上記解除位置に位置しているときに長手方向を上下方向に向ける縦溝、及びこの縦溝の長手方向の一端部から横方向に延びる横溝が形成され、上記第２取付部材には、上記係合部材が上記係合位置に位置しているときには上記横溝に入り込んで上記係合部材の上記第１方向への移動を阻止し、上記係合部材が上記解除位置に位置しているときには上記縦溝に入り込んで上記係合部材の上記第１方向への移動を許容する係止部が設けられたゲーム機の施錠装置において、上記第１及び第２取付部材のいずれか一方には、上記係合部材が上記係合位置から上記解除位置へ向かって回動するときに、上記係止部が上記横溝から上記縦溝に入り込む前に上記係合部材に係合して上記係合部材が所定の中間位置から上記解除位置側へ回動することを阻止する阻止部が設けられていることを特徴としている。
この場合、上記阻止部が記係合部材に係合した状態において上記係合部材が上記阻止部に対して上記第１方向又は上記第２方向へ所定の解除距離だけ相対移動すると、上記係合部材と上記阻止部との係合が解除して上記阻止部が上記係合部材の上記中間位置から上記解除位置への回動を許容することが望ましい。
特に、上記阻止部が記係合部材に係合した状態において上記係合部材が上記阻止部に対して上記第１方向へ所定の解除距離だけ移動すると、上記係合部材と上記阻止部との係合が解除して上記阻止部が上記係合部材の上記中間位置から上記解除位置への回動を許容する場合には、上記係合部材の上記一方向への移動に伴って上記第２ロック部材が上記施錠位置から解錠位置側へ変位したとき、上記第２ロック部材が上記解錠位置に変位する前に上記係合部材が上記解除距離だけ移動することが望ましい。
また、上記阻止部は、上記係合部材が上記係合位置から上記中間位置まで回動したとき、上記横溝内の上記縦溝側の端部に位置するように配置され、上記横溝側に位置する上記縦溝の一側面と上記縦溝の他端部側に位置する上記横溝の一側面との交差部には上記係止部が出没可能に入り込む逃げ部が形成され、上記係止部が上記逃げ部に入り込むことにより、上記係合部材が上記第１方向へ上記解除距離だけ移動可能とされていることが望ましい。
さらに、上記第１取付部材には、錠前と、この錠前の開操作により初期位置から上記第１方向へ移動させられる解錠部材とが設けられ、上記解錠部材は阻止部が設けられ、上記解錠部材が上記初期位置に位置しているときには、上記係合部材が上記係合位置から上記中間位置まで回動すると、上記阻止部が上記係合部材に係合して上記係合部材の上記中間位置から上記解除位置側への回動を阻止し、上記解錠部材が上記初期位置から上記第１方向へ所定距離だけ移動すると、上記阻止部と上記係合部材との係合が解除されて上記阻止部が上記係合部材の上記係合位置から上記解除位置までの回動を許容することが望ましい。
【発明の効果】
【００１０】
上記特徴構成を有するこの発明によれば、係合部材を係合位置から解除位置へ不正に回動されようとした場合、係合部材が係合位置から中間位置まで回動すると、阻止部が係合部材に係合して係合部材が中間位置から解除位置側へ回動することを阻止する。したがって、係合部材が不正に解除位置まで回動させられることを阻止し、ひいては扉が不正に開かれることを防止することができる。
【発明を実施するための最良の形態】
【００１１】
以下、この発明を実施するための最良の形態を、添付の図１〜図２６を参照して説明する。
図１は、この発明に係る施錠装置が用いられたパチスロ機（ゲーム機）Ｇを示す。パチスロ機Ｇは、筺体Ａと扉Ｂとを有している。筺体Ａは前面が開口した箱状をなしている。扉Ｂは、背面が開口した深さの浅い箱状をなしている。筺体Ａの前面側の一側部（図１において左側部）には、扉Ｂの背面側の一側部がヒンジ（図示せず）を介して水平方向へ回動可能に支持されている。扉Ｂは、その背面の他側部が筺体Ａの前面の他側部に突き当たって筺体Ａの前面開口部を閉じた閉位置と、この閉位置から所定角度（例えば１１０°程度）だけ離れて筺体Ａの前面開口部を開いた開位置との間を回動可能である。
【００１２】
ここで、この発明において水平方向とは、特に断らない限り、真の水平方向のみならず、水平方向に対して例えば１５°程度傾斜した方向をも含むものとする。上下方向も同様であり、鉛直方向のみならず、鉛直方向に対して１５°程度傾斜した方向をも含む。この実施の形態では、ヒンジの回動軸線（扉Ｂの回動軸）が筺体Ａの前面と平行になっており、筺体Ａの前面は上方へ向かうにしたがって後方に倒れるように若干の角度（例えば１０°程度）だけ傾斜している。したがって、扉Ｂは、筺体Ａの前面の傾斜角度だけ真の水平方向に対して傾斜した方向に回動する。筺体Ａの前面は、鉛直面であってもよい。その場合には、ヒンジの回動軸線が鉛直方向を向き、扉Ｂが真の水平方向へ回動する。
【００１３】
筺体Ａの前面側の他側部（図１において右側部）と扉Ｂの背面側の他側部との間には、この発明に係るゲーム機用施錠装置１が設けられている。施錠装置１は、筺体Ａに設けられた筺体側ユニット２と、扉Ｂに設けられた扉側ユニット３とを有している。
【００１４】
図１〜図４に示すように、筺体側ユニット２は、筺体側取付部材（第２取付部材）４を有している。この筺体側取付部材４は、上下に長い金属製の板材からなるものであり、その長手方向を筺体Ａの前面と平行にした状態で筺体Ａの前面側の他側部内面に固定されている。図１及び図９〜図１１に示すように、扉側ユニット３は、扉側取付部材（第１取付部材）５を有している。この扉側取付部材５は、上下に長い金属製の板材を断面略Ｕ字状に折り曲げてなるものであり、その長手方向を扉Ｂの背面と平行にし、かつ扉Ｂが閉位置に位置したとき開放部が筺体Ａ側に向くようにして扉Ｂの背面側の他側部内面に固定されている。
【００１５】
図９及び図１１に示すように、扉側取付部材５の上下の両端部には、ローラ６，６（第１ロック部材）が回動可能に、かつ位置固定して設けられている。ローラ６は、扉Ｂが閉位置に位置したとき、その回動軸線が水平に、しかも左右方向を向くように配置されている。ローラ６は、回動不能に設けてもよい。
【００１６】
図３、図４及び図８に示すように、筺体側取付部材４には、可動板（可動部材）７が設けられている。可動板７は、金属製の長い板材からなるものであり、その長手方向を筺体側取付部材２の長手方向と平行にした状態で筺体側取付部材４にその長手方向（上下方向）へ移動可能に設けられている。図２〜図４に示すように、可動板７の上下の両端部には、ピン２１，２１がそれぞれ設けられている。このピン２１，２１は、筐体側取付部材４に設けられた長孔４ｄにそれぞれ上下方向へ移動可能に挿入されている。これにより、可動板７が筐体側取付部材４に上下方向へ移動可能に設けられている。ピン２１が長孔４ｄの下端部に突き当たることにより、可動板７の下方への移動限界位置が定められている。可動板７の下方への移動限界位置は、後述する施錠位置より若干下側に設定されている。ピン２１が長孔４ｄの上端部に突き当たることにより、可動板７の上方への移動限界位置が定められている。可動板７の上方への移動限界位置は、後述する解錠位置より若干上側に定められている。
【００１７】
可動板７の上下の両端部には、鉤部材（第２ロック部材）８，８の一端部（筐体Ａの内部側の端部）がそれぞれ固定されている。鉤部材８，８の各他端部（筐体Ａの前方外側に位置する端部）は、筺体側取付部材４の上下の両端部に形成された窓孔４ａ，４ａから前方に突出している。窓孔４ａから前方に突出した鉤部材８の他端部には、下方に向かって開放されたロック凹部８ａが形成されている。なお、可動板７及び鉤部材８は、筺体Ａの他側部内面（図１において右側部内面）と対向する筺体側取付部材４の一方の面に沿って配置されている。したがって、可動板７及び鉤部材８の他端部は、筐体Ａ及び筺体側取付部材４によって覆われ、図１では見えなくなっている。また、窓孔４ａの上下方向の長さは、可動板７の上下方向への移動限界位置を制限することがないような長さに設定されている。
【００１８】
可動板７及び鉤部材８は、上下方向へ移動可能であり、下方へはそれらの自重によって移動する。勿論、可動板７と筐体側取付部材４との間に引っ張りコイルばね等の付勢手段を設け、この付勢手段によって可動板７及び鉤部材８を下方へ移動させるようにしてもよい。可動板７及び鉤部材８を自重によって下方へ移動させる場合には、それらの自重（重力）が移動手段であり、付勢手段を用いる場合にはその付勢手段が移動手段である。一方、可動板７及び鉤部材８は、後述するシリンダ錠１１の解錠操作によって上方へ移動させられ、あるいは扉Ｂの閉回動によって自動的に上方へ移動させられるようになっている。
【００１９】
鉤部材８を上方への移動限界位置に位置させた状態で扉Ｂを閉位置に回動させると、鉤部材８のロック凹部８ａがローラ６のほぼ上方に位置し、ロック凹部８ａの開放部がローラ６と対向する。その状態で鉤部材８を下方へ移動させると、ローラ６がロック凹部８ａ内に相対的に入り込む。そして、ローラ６がロック凹部８ａの上底面に突き当たると、それ以上鉤部材８が下方へ移動することができなくなる。このときの鉤部材８（及び可動板７）の位置が施錠位置である。鉤部材８を施錠位置から所定距離だけ上方へ移動させると、ローラ６全体がロック凹部８ａから下方へ脱出する。このときの鉤部材８の位置が解錠位置である。
【００２０】
ローラ６の外径は、ロック凹部８ａの幅とほぼ同一に設定されている。したがって、鉤部材８が施錠位置に移動してローラ６がロック凹部８ａ内に入り込むと、扉Ｂが閉位置から開位置側へ向かって開回動することができなくなり、閉位置に位置固定される。その一方、鉤部材８が施錠位置から解錠位置まで移動すると、ローラ６全体がロック凹部８ａから脱出するので、扉Ｂが閉位置から開回動することができるようになる。
【００２１】
図１〜図８に示すように、筺体側取付部材４の他方の面（筺体Ａの内側を向く面；図１において左側を向く面）側には、係合部材９が配置されている。この係合部材９は、可動板７の長手方向の中間部に配置されており、左右方向へ水平に延びる軸１０を介して前後方向へ回動可能に、かつ上下方向へ移動不能に連結されている。なお、軸１０は、筺体側取付部材４に形成された長孔４ｂを上下方向へ移動可能に貫通しており、長孔４ｂの上下方向の長さは、可動部材７（鉤部材８）の上下方向への移動範囲を制限することがないような長さに設定されている。
【００２２】
図５、図７及び図８に示すように、係合部材９には、上下方向に延びる縦孔（縦溝）９ｂが形成されている。この縦孔９ｂは、係合部材９が解除位置に位置したときに上下方向を向くように配置されている。したがって、縦孔９ｂは、係合部材９が施錠位置に位置しているときには、上下方向に対して係合部材９の解除位置と施錠位置との間の回動角度の分だけ傾斜している。なお、縦孔９ｂは、係合部材９の筐体側取付部材４との対向面に溝として形成してもよい。
【００２３】
係合部材９には、横孔（横溝）９ａが形成されている。横孔９ａは、係合部材９の回動軸たる軸１０を中心とする円弧に沿って延びており、その一端部が縦孔９ｂの上端部の係合位置側の側部（図５において右側部）と交差している。換言すれば、横孔９ａは、縦孔９ｂの上端部の係合位置側の側部から軸１０を中心として円弧状に延びているのである。横孔９ａは、縦孔９ｂと同様に、係合部材９の筐体側取付部材４との対向面に溝として形成してもよい。
【００２４】
筐体側取付部材４の係合部材９との対向面には、係合部材９側に向かって突出する係止部４ｃが形成されている。この係止部４ｃは、可動板７が施錠位置に位置しているときには横孔９ａに入り込むように配置されている。しかも、係止部４ｃは、横孔９ａにその長手方向（円弧方向）へ相対移動可能（相対回動可能）に挿入されている。したがって、係止部４ｃは、係合部材９が軸１０を中心として回動すると、縦孔９ａの上端部及び横孔９ｂの内部を円弧にそって相対移動する。係合部材９が係合位置に回動すると、係止部４ｃが横孔９ｂの縦孔９ａから離間した端部に突き当たり、係合部材９が解除位置に回動すると、係止部４ｃが縦孔９ａの上下に延びる二つの側面のうちの横孔９ｂから離間した側面に突き当たる。換言すれば、係止部４ｃが横孔９ｂの縦孔９ａから離間した端部に突き当たることによって、係合部材９の係合位置が決定され、係止部４ｃが縦孔９ａの上下に延びる二つの側面のうちの横孔９ａから離間した側面に突き当たることによって、係合部材９の解除位置が決定されている。
【００２５】
係止部４ｃの上下方向の長さは、横孔９ａの上下方向の幅とほぼ同一に設定されている。したがって、係合部材９が係合位置に位置し、その結果係止部４ｃが横孔９ａに入り込んでいるときには、係止部材９が筐体側取付部材４に上下方向へ移動不能に係止される。この結果、可動板７及び鉤部材８が施錠位置に位置固定される。なお、係合部材９が係合位置に位置しているときに係合部材９が係止部４ｃによって上下方向へ移動不能とされ、かつ係止部４ｃが横孔９ａ内をその長手方向へ移動可能であるならば、横孔９ａは係合部材９の軸１０を中心として円弧状に形成することなく、縦孔９ｂから横方向（例えば、縦孔９ｂと直交する方向）へ直線的に延びるように形成してもよい。
【００２６】
係止部４ｃの厚さ（図５において左右方向の厚さ）は、縦孔９ｂの幅（図５において左右方向の幅）とほぼ同一であり、縦孔９ｂ内をその長手方向へ相対移動可能である。したがって、係合部材９が解除位置に回動して係止部４ｃが縦孔９ｂ内に入り込むと、係合部材９が上方（第１方向）へ移動可能になる。その結果、可動板７が施錠位置から解錠位置まで移動可能になる。勿論、縦孔９ｂの長さは、可動板７の施錠位置と解錠位置との間の移動を制限することがないような長さに設定されている。
【００２７】
筐体側取付部材４と係合部材９との間には、引っ張りコイルばね（付勢手段）１７が設けられている。このコイルばね１７は、係合部材９が解除位置から係合位置へ向かって回動するように、係合部材９を図５において反時計方向へ回動付勢している。したがって、係合板９は、可動板７が施錠位置に位置しているときには、係合部材９に外力が作用しない限り係合位置に位置させられている。
【００２８】
図１及び図９〜図１７に示すように、扉側ユニット３には解錠機構が設けられている。この解錠機構は、ローラ６及び鉤部材８によって閉位置に維持されている扉Ｂを開回動可能にするためのものであり、次のように構成されている。
【００２９】
すなわち、扉側取付部材５の上下方向の中間部には、錠前としてのシリンダ錠１１が設けられている。特に図１２に示すように、シリンダ錠１１は、扉Ｂが閉位置に位置しているときに外部からキー操作することができるよう、錠軸１１ｂの基端面が扉Ｂの前面側に露出しており、錠軸１１ｂの基端面にキー孔１１ａが形成されている。そして、キー孔１１ａに挿入したキーを回動操作することにより、錠軸１１ｂを図１２に示す中立位置から解錠位置まで矢印Ａ方向へ回動させ、あるいは中立位置からリセット位置まで矢印Ｂ方向へ回動させることができる。錠軸１１ｂの先端部は、扉Ｂの背面側に露出しており、当該先端部には、略「く」字状をなす操作部材１２の中央部が固定されている。なお、シリンダ錠１１に代えて他の錠前が用いられることもある。
【００３０】
特に図１７に示すように、扉側取付部材５の上下方向の中間部には、解錠操作板（解錠部材）１３及びリセット板１４が設けられている。解錠操作板１３及びリセット板１４は、扉Ｂが閉位置に位置しているときに左右方向を向き、しかも互いに対向した状態で配置されている。解錠操作板１３には、上下に延びるガイド孔１３ａが二つ形成されている。リセット板１４には、上下に延びるガイド孔１４ａが二つ形成されている。そして、一方のガイド孔１３ａ，１４ａを上下方向へ移動可能に貫通して扉側取付部材５に固定されたピン１５、及び他方のガイド孔１３ａ，１４ａを貫通して扉側取付部材５に固定されたピン１５により、解錠操作板１３及びリセット板１４が扉側取付部材５に上下方向へ移動可能に設けられている。
【００３１】
解錠操作板１３とリセット板１４との間には、引っ張りコイルばね１６が設けられている。この引っ張りコイルばね１６の付勢力により、解錠操作板１３が下方に付勢され、ピン１５がガイド孔１３ａの上端部に当接させられている。それと同時に、リセット板１４が上方へ付勢され、ピン１５がガイド孔１４ａの下端部に当接させられている。以下、ピン１５がガイド孔１３ａの上端部に当接しているときの解錠操作板１３の位置、及びピン１５がガイド孔１４ａの下端部に当接しているとのリセット板１４の位置をいずれも初期位置と称する。
【００３２】
図１６に示すように、解錠操作板１３には、下方を向く当接面１３ｂが形成されている。この当接面１３ｂは、錠軸１１ｂが中立位置に位置しているときに、操作部材１２の一端部（図１６において下端部）１２ａが接触している。したがって、錠軸１１ｂを中立位置から解錠位置側へ回動させると、解錠操作板１３が初期位置から上方へ移動させられる。
【００３３】
解錠操作板１３の下端部には、水平方向に突出する係合片部１３ｃが形成されている。扉Ｂが閉位置に位置し、かつ解錠操作板１３が初期位置に位置しているとき、係合片部１３ｃの上面は、係合部材９の上端部に形成された突出部９ｅ（図８参照）の下面から僅かに下方に離間しているか、ほぼ接触している。したがって、解錠操作板１３を初期位置から上方へ移動させると、係合片部１３ｃが突出部９ｅに突き当たり、係合部材９を係合位置から解除位置側へコイルばね１７の付勢力に抗して回動させる。解錠操作板１３を初期位置から所定の距離（後述する解除距離より所定の長さだけ長い距離）だけ上方へ移動させると、係合部材９が解除位置まで回動し、それ以上回動することができなくなる。しかも、係合部材９は、解除位置に回動すると、上方へ移動可能になる。したがって、解錠操作板１３をさらに上方へ移動させると、係合部材９が解錠操作板１３の上方への移動に伴って上方へ移動させられる。これにより、可動板７及び鉤部材８が施錠位置から解錠位置に向かって移動させられる。シリンダ錠１１を中立位置から図１６の矢印Ａ方向へ最大に回動させ、それによって解錠操作板１３を初期位置から上方へ最大に移動させると、可動板７及び鉤部材８が解錠位置に達する。この結果、鉤部材８のローラ６に対する係合が解除され、扉Ｂが閉位置から開回動可能になる。
【００３４】
可動板７及び鉤部材８が解錠位置に位置した状態において、シリンダ錠１１を中立位置に戻すと、解錠操作板１３がコイルばね１６によって初期位置まで下方へ移動させられるとともに、可動板７及び鉤部材８がその自重によって解錠位置から施錠位置まで下方へ移動させられる。これに伴って係合部材９が下方へ移動するので、係止部１４ｃが縦孔９ａ内をその上端部まで相対移動する。すると、係合部材９がコイルばね１７によって解除位置から係合位置まで回動させられる。この結果、可動板７及び鉤部材８が施錠位置に位置固定される。
【００３５】
リセット板１４の上面には、操作部材１２の他端部（図１６において上端部）１２ｂが接触している。したがって、シリンダ錠１１の錠軸１１ｂを中立からリ矢印Ｂ方向へ最大に回動させると、リセット板１４がコイルばね１６の付勢力に抗して初期位置からリセット位置まで下方へ移動する。これにより、中断していたゲームが再開される。すなわち、扉Ｂが閉位置から所定角度以上開回動したことを、筺体Ａに設けられたセンサ（図示せず）が検出すると、その検出信号に基づいてパチスロ機Ｇのゲームが中断される。その一方、リセット板１４をリセット位置まで下方へ移動させると、扉側取付部材５に設けられたリセットスイッチ１８がＯＮ状態に切り替えられる。これによって、ゲームが再開される。
【００３６】
図１〜図８、特に図５及び図７に示すように係合部材９の前側（図５において右側）の下端部には、傾斜面９ｃが形成されている。この傾斜面９ｃは、係合部材９が係合位置と解除位置との間のいずれの位置に位置しているときにも、筺体Ａの手前側から奥側へ向かうにしたがって下方へ向かうように傾斜している。
【００３７】
図９〜図１７、特に図１５〜図１７に示すように、扉側取付部材５には、当接ローラ１９が回動可能に設けられている。当接ローラ１９は、扉Ｂが閉位置に位置しているときには、当接ローラ１９の軸線が左右方向へ水平に延びるように配置されている。しかも、当接ローラ１９は、扉Ｂが閉位置から所定角度だけ手前の位置まで閉回動（図１８において矢印方向へ回動）すると、係合位置に位置している係合部材９の傾斜面９ｃに突き当たるように配置されている（図１９参照）。当接ローラ１９が傾斜面９ｃに突き当たった状態で、扉Ｂをさらに閉回動させると、当接ローラ１９が傾斜面９ｃを筺体Ａの前面側から奥側に向かって押し、係合部材９をコイルばね１７の付勢力に抗して係合位置から解除位置まで回動させる（図２０参照）。
【００３８】
係合部材９は、解除位置に達すると、係止部４ｃが縦孔９ｂの側面（図２０において右側に位置する側面）に突き当たる結果、それ以上回動することができなくなる。したがって、扉Ｂをさらに閉回動して当接ローラ１９を図２０においてさらに右方へ移動させると、傾斜面９ｃが当接ローラ１９によって上方へ押され、係合部材９が上方へ移動させられる。この結果、可動板７及び鉤部材８がそれらの自重に抗して施錠位置から解錠位置に向かって移動させられる。当接ローラ１９の外周面の最も上側に位置する部分が傾斜面９ｃの下端縁に突き当たったとき、可動板７及び鉤部材８が解錠位置に達している。
【００３９】
図５に示すように、係合部材９の下端部には、保持面（保持部）９ｄが設けられている。この保持面９ｄは、傾斜面９ｃの下端縁から筐体Ａの奥側に向かって延びている。したがって、可動板７及び鉤部材８が解錠位置に達し後、扉Ｂがさらに回動すると、当接ローラ１９上に保持面９ｄが乗る。ここで、保持面９ｄは、係合部材９が解除位置に位置しているときには、水平になっている。したがって、保持面９ｄが当接ローラ１９に乗っているときには、扉Ｂの回動位置に拘わらず可動板７及び鉤部材８の上下方向の位置が一定であり、それらは解錠位置に維持される。
【００４０】
当接ローラ１９の外周面の最も上方に位置する部分が、その移動方向前方側に位置する保持面９ｄの内側の端部を通過すると、当接ローラ１９の移動に伴って係合部材９が下方へ移動可能になる。係合部材９が下方へ移動し、それに伴って可動板７及び鉤部材８がそれらの自重によって解錠位置から施錠位置に向かって僅かに下方へ移動すると、鉤部材８の下面のロック凹部８ａより扉Ｂ側に位置する部分がローラ６の外周面に突き当たる。このため、係合部材９、可動板７及び鉤部材８は、それ以上下方へ移動することができず、一定の位置で停止している（図２２に参照）。
【００４１】
扉Ｂが閉位置に達すると、鉤部材８のロック凹部８ａの開口部がローラ６と上下に対向する。しかも、図２３に示すように、当接ローラ１９全体が保持面９ｄを通過している。したがって、可動板７及び鉤部材８が下方へ移動可能になり、それらは自重によって下方へ移動する。鉤部材８の下方への移動に伴ってローラ６がロック凹部８ａに入り込む。そして、ローラ６がロック凹部８ａの底面に突き当たると、可動板７及び鉤部材８が施錠位置に達して停止する。これと同時に係止部４ｃが縦孔９ｂの上端部まで移動し、横孔９ａに入り込み可能になる。したがって、係合部材９が解除位置から係合位置に向かって回動可能になり、コイルばね１７によって係合位置まで回動させられる（図２４参照）。係合部材９が係合位置まで回動すると、可動板７及び鉤部材８が上下方向へ移動不能になり、施錠位置に位置固定される。
【００４２】
なお、扉Ｂを閉位置から開回動させるためには、上記のように、シリンダ錠１１を開操作（錠軸１１ｂを図１２の矢印Ａ方向へ回動操作）する。すると、解錠操作板１３の係合片部１３ｃが係合部材９の下端部、つまり保持面９ｄを上方へ押す。それにより、係合部材９が係合位置から解除位置まで回動させられた後、可動板７及び鉤部材８が施錠位置から解錠位置に達するまで係合部材９が上方へ移動させられる。これによって、解錠され、扉Ｂが閉位置から開回動可能になる。
【００４３】
図１〜図８、特に図５及び図７に示すように、筺体側取付部材４には、受け部材(受け部)２０が固定されている。受け部材２０は、筺体側取付部材４に一体に設けてもよい。受け部材２０は、前後方向に互いに連なった傾斜部２０ａと水平部２０ｂとを有している。そして、受け部材２０は、傾斜部２０ａが水平部２０ｂより前側に位置するように配置されている。傾斜部２０ｂは、筺体Ａの手前側から奥側へ向かって上り傾斜をなすように傾斜させられている。水平部２０ｂは、傾斜部２０ａの奥側の端部から後方に向かって水平に延びている。水平部２０ｂは、扉Ｂが正規の閉位置に位置しているとき、水平部２０ｂの上面に当接ローラ１９が接するように配置されている。したがって、扉Ｂの扉側ユニット３が設けられた他端部がヒンジによって回動可能に支持された一端部に対して垂れ下がることがないのであれば、当接ローラ１９は、傾斜部２０ａに突き当たることがなく、水平部２０ｂに単に接するだけである。
【００４４】
ところが、ヒンジの製造誤差及び変形や、その他の各部の変形等により、往々にして扉Ｂの他端部は一側部に対して垂れ下がる。このため、図１９に示すように、扉Ｂが閉位置に対して所定の角度だけ手前の位置に達すると、当接ローラ１９が傾斜部２０ａに突き当たる。この実施の形態では、当接ローラ１９によって傾斜面９ｃが上方へ押され、その結果係合部材９、可動板７及び鉤部材８が施錠位置から解錠位置側へ移動させられるようになると、当接ローラ１９が傾斜部２０ａに突き当たるようになっている。当接ローラ１９が傾斜部２０ａに突き当たると、扉Ｂの他端部がその閉回動に伴って上方へ持ち上げられる。可動板７及び鉤部材８が解錠位置にほぼ達するまで扉Ｂが閉位置側へ回動すると、当接ローラ１９が傾斜部２０ａと水平部２０ｂとの交差部上に乗り上がる。そして、扉Ｂがさらに回動すると、当接ローラ１９が水平部２０ｂ上に乗り上がる。当接ローラ１９は、扉Ｂが閉位置に達した後も水平部２０ｂに乗り上がっている。これにより、閉位置において扉Ｂの他端部が一端部に対して垂れ下がることが防止され、扉Ｂ全体が正規の閉位置に位置させられる。
【００４５】
図１３、図１５、図１６及び図１７に示すように、解錠操作板１３には、当接突起（阻止部）１３ｄが設けられている。当接突起１３ｄは、可動板７及び鉤部材８が施錠位置に位置し、かつ解錠操作板１３が初期位置に位置している状態では、図２４に示すように、係合位置に位置している係合部材９に対して係合位置から解除位置へ向かう方向（図２４において反時計方向）に離間しているが、係合部材９が係合位置から解除位置側へ向かって所定の中間位置まで回動すると、図２５に示すように、係合部材９の突出部９ｅの解除位置側の端部に突き当たるように配置されている。したがって、係合部材９は、可動板７及び鉤部材８が施錠位置に位置し、かつ解錠操作板１３が初期位置に位置している限り、中間位置を越えて回動することができない。ここで、係合部材９の中間位置とは、係合部材９の係合位置から解除位置側への回動に伴って係止部４ｃが横孔９ａ内を縦孔９ｂに向かって相対移動し、横孔９ａの縦孔９ｂに隣接する端部まで移動したときの係合部材９の位置である。
【００４６】
縦孔９ｂの上下に延びる二つの側面のうちの横孔９ａ側に位置する側面（図２５において左側の側面）と、横孔９ａの周方向に延びる二つの側面のうちの、縦孔９ｂの他端側に位置する側面（図２５において下側に位置する側面）との交差部には、切欠き部（逃げ部）９ｆが形成されている。この切欠き部９ｆは、係合部材９が中間位置に回動したとき、係止部４ｃと上下に対向するように配置されている。しかも、切欠き部９ｆは、係合部材９が中間位置に位置した状態において、係合部材９、可動板７及び鉤部材８が施錠位置から上方（第１方向）へ所定の解除距離だけ移動すると、係止部４ｃの下端部が解除距離の分だけ入り込むことができるような寸法に形成されている。したがって、係合部材９を中間位置に回動させた状態では、係合部材９、可動板７及び鉤部材８が解除距離の分だけ上方へ移動可能である。なお、切欠き部９ｆは、係合部材９が解除距離だけ上方へ移動したときに係止部４ｃを収容することができるものであれば、どのような形状であってもよい。例えば、左右方向の幅が下方に向かって狭くなるよう、台形状に形成してもよい。
【００４７】
中間位置に回動した係合部材９を解除距離だけ上方へ移動させると、図２６に示すように、当接突起１３ｄが係合部材９に対して相対的に下方へ移動し、突出部９ｅに対して下方に離間する。したがって、当接突起１３ｄが突出部９ｅに突き当たることがなくなり、係合部材９が中間位置を越えて解除位置まで回動可能になる。勿論、係合部材９が解除位置まで回動すると、係合部材９が上方へ移動可能になり、可動板７及び鉤部材８が解錠位置まで上方へ移動可能になる。なお、中間位置に回動した係合部材９を解除距離だけ上方へ移動させると、それに伴って可動板７及び鉤部材８が上方へ移動する。しかし、解除距離は、施錠位置と解除位置との間の距離より短く設定されている。したがって、鉤部材８が施錠位置から解錠位置まで移動する前に、係合部材９が解除距離だけ移動することになる。したがって、係合部材９を解除距離だけ上方へ移動させたとしても、ローラ６と鉤部材８との係合が解除されることがなく、両者は施錠状態を維持している。
【００４８】
上記の構成において、シリンダ錠１１を用いずに、鉤部材８を施錠位置から解錠位置まで移動させる場合には、係合部材９を係合位置から解除位置まで移動させ、その後鉤部材８を施錠位置から解錠位置まで移動させる点において従来の施錠装置と同様であるが、この施錠装置１では、係合部材９を係合位置から解除位置まで一気に回動させることができない。すなわち、係合部材９を係合位置から中間位置まで回動させると、当接突起１３ｄが係合部材９の突出部９ｅに突き当たり、係合部材９が中間位置から解除位置側へ回動することを阻止する。係合部材９を解除位置側へさらに回動させるためには、係合部材９を可動板７及び鉤部材８と共に上方へ移動させる必要がある。係合部材９を解除距離だけ上方へ移動させると、当接突起１３が下方へ相対的に移動して突起９ｅから下方に離間する。この結果、係合部材９が解除位置側へ回動可能になる。そこで、係合部材９、可動板７及び鉤部材８を施錠位置から解除距離だけ上方に移動した位置に維持することにより、係合部材９を解除位置まで回動させることができる。係合部材９を解除位置まで回動させると、可動板７及び鉤部材８が解錠位置まで移動可能になる。
【００４９】
このように、この施錠装置１において、係合部材９を係合位置から解除位置まで回動させる場合には、係合位置から中間位置までの回動操作、施錠位置から上方への移動操作、及び中間位置から解除位置まで回動操作という三段階の操作を行う必要がある。したがって、係合部材９に対する不正回動をより高度に阻止することができ、それによって扉の不正開操作をより厳重に防止することができる。
【００５０】
可動板７及び鉤部材８をシリンダ錠１１によって施錠位置から解錠位置まで移動させる際には、係合部材９が係合位置から解除位置まで回動するときに当接突起１３ｄが突起９ｅに突き当たることがない。これは、シリンダ錠１１を解錠操作すると、解錠操作板１３が初期位置から上方へ移動する。このとき解除操作板１３は、初期位置から上方へ移動すると直ちに係合部材９に突き当たり、上方へ移動しながら係合部材９を係合位置から解除位置側へ回動させる。そして、係合部材９が係合位置から中間位置まで回動したときには、解錠操作板１３が初期位置から解除距離だけ上方へ移動しており、解錠操作板１３の当接突起１３ｄが係合部材９の突出部９ｅより上方に位置し、当接突起１３ｄが突起９ｅに突き当たる（係合する）ことがないからである。その後、シリンダ錠１１をさらに解錠位置まで操作すると、係合部材９が解除位置まで回動し、その後係合部材９及び可動部材４が上方へ移動する。この結果、鉤部材８が施錠位置から解錠位置まで移動し、扉Ｂが開回動可能になる。このように、シリンダ錠１１によって解錠操作する場合には、当接突起１３ｄが形成されていない場合と同様に解錠操作することができる。なお、この実施の形態では、解錠操作板１３が解除距離だけ上方へ移動したときに、係合部材９が係合位置から中間位置まで回動するとともに、当接突起１３ｄが突出部９ｅから上方へ離間するように構成されているが、解錠操作板１３が解除距離と異なる所定の距離だけ上方へ移動したときに、係合部材９が係合位置から中間位置まで回動するとともに、当接突起１３ｄが突出部９ｅから上方へ離間するように構成してもよい。ただし、係合部材が係合位置から中間位置まで回動する前に、当接突起１３ｄが突出部９ｅから上方へ離間しているように構成する必要がある。
【００５１】
また、この実施の形態の施錠装置１においては、シリンダ錠１１の鍵を紛失したり、手元に無かったりした場合であっても、専用の解錠工具（図示せず）で解錠することができるようになっている。すなわち、図１４に示すように、扉側取付部材５には、窓孔５ａが形成されている。この窓孔５ａは、扉側取付部材５の解錠操作板１３と対向する壁部を貫通して形成されている。そして、この窓孔５ａから専用の解錠工具の鍵状係合部を差し込で解錠操作板１３に係合させる。その状態で解錠工具を適宜に回転及び傾斜させることによって解錠操作板１３を上方へ移動させることができる。したがって、シリンダ錠１１によって解錠操作板１３を解錠操作する場合と同様にして係合部材９を係合位置から解除位置まで回動させ、その後係合部材９を介して可動板７及び鉤８を施錠位置から解錠位置まで移動させることができる。
【００５２】
なお、この発明は、上記の実施の形態に限定されるものでなく、その要旨を逸脱しない範囲において適宜変更可能である。
例えば、上記の実施の形態の筺体側ユニット２を扉Ｂに設け、扉側ユニット３を筺体Ａに設けてもよい。
また、上記の実施の形態においては、可動板７が下方へ移動したときに鉤部材８がローラ６に係合し、上方へ移動したときに鉤部材８のローラ６に対する係合が解除するように構成されているが、可動板７が上方へ移動したときに鉤部材８がローラ６に係合し、下方へ移動したときに係合が解除するようにしてもよい。そのように構成する場合には、鉤部材８のロック凹部８ａが鉤部材８の上面に設けられる。また、引っ張りコイルばね等の付勢手段（移動手段）が筐体側取付部材４と可動板７との間に設けられ、この付勢手段によって可動板７を上方へ移動させて鉤部材８をローラ６に係合させることになる。勿論、当接ローラ１９及び傾斜面９ｃは、可動板７を付勢手段の付勢力に抗して下方へ移動させることになる。
また、上記の実施の形態においては、鉤部材８を独立した部材とし、可動板７に固定しているが、可動板７に一体に設けてもよい。鉤部材８は、上記特許文献１に記載されている施錠装置のように、筺体側取付部材４に回動可能に設けてもよい。その場合には、可動板７と鉤部材８とが回動可能に連結される。
また、可動板７の上下の両端部にローラ６を固定し、鉤部材８を扉Ｂ又は扉側取付部材５に固定してもよい。このようにした場合には、ローラ６が第２ロック部材であり、鉤部材８が第１ロック部材である。
また、上記の実施の形態においては、筺体側取付部材４に係止部４ｃが設けられ、係合部材９に横孔９ａ及び縦孔９ｂが設けられているが、係合部材９に係止部を設け、筺体側取付部材４に横孔及び縦孔を設けてもよい。
さらに、上記の実施の形態においては、中間位置に回動した係合部材９を当接突起１３ｄに対して上方へ移動させることにより、係合部材９と当接突起１３ｄとの係合状態を解除するようにしているために、係合部材９に切欠き部９ｆを形成しているが、当接突起１３ｄを上方又は下方へ移動させることによって係合部材９と当接突起１３ｄとの係合を解除させることも可能であり、そのような場合には、切欠き部９ｆを形成する必要がない。切欠き部９ｆを形成しない場合には、必ずしも当接突起１３ｄを係合部材９に対し上記中間位置において当接させる必要がなく、係合部材９が解除位置に達する前に係合部材９に当接させればよい。換言すれば、係合部材９が当接突起１３ｄに突き当たる中間位置は、解除位置より所定角度だけ手前の位置であれば、当該手前の位置と係合位置との間の任意の位置（係合位置を含む）に設定することができる。
これらの変形は、発明の要旨を変更しない範囲において適宜組み合わせることも可能である。
【図面の簡単な説明】
【００５３】
【図１】この発明に係るゲーム機用施錠装置が用いられたパチスロ機の、一部を透視図した状態で示す斜視図である。
【図２】同施錠装置の筺体側ユニットを示す図であって、図２（Ａ）はその側面図、図２（Ｂ）はその正面図である。
【図３】同筺体側ユニットを示す図であって、図３（Ａ）はその斜視図、図３（Ｂ）は図３（Ａ）と異なる方向から見た斜視図である。
【図４】同筺体側ユニットを示す分解斜視図である。
【図５】同筺体側ユニットの要部を示す側面図である。
【図６】同筺体側ユニットの要部を示す正面図である。
【図７】同筺体側ユニットの要部を示す斜視図である。
【図８】同筺体側ユニットの要部を示す分解斜視図である。
【図９】同施錠装置の扉側ユニットを示す図であって、図９（Ａ）はその一部省略背面図、図９（Ｂ）はその一部省略側面図である。
【図１０】同扉側ユニットを示す図であって、図１０（Ａ）はその斜視図、図１０（Ｂ）は図１０（Ａ）と異なる方向から見た斜視図である。
【図１１】同扉側ユニットを示す分解斜視図である。
【図１２】同扉側ユニットの要部を示す正面図である。
【図１３】同扉側ユニットの要部を示す背面図である。
【図１４】同扉側ユニットの要部を示す左側面図である。
【図１５】同扉側ユニットの要部を示す右側面図である。
【図１６】同扉側ユニットの要部を示す斜視図である。
【図１７】同扉側ユニットの要部を示す分解斜視図である。
【図１８】扉を閉位置から所定角度だけ手前の位置まで回動させたときの筺体側ユニット及び扉側ユニットの各要部を示す側面図である。
【図１９】当接ローラが係合位置に位置している係合部材の傾斜面に突き当たったときの筺体側ユニット及び扉側ユニットの各要部を示す側面図である。
【図２０】係合部材が当接ローラによって係合位置から解除位置に回動させられたときの筺体側ユニット及び扉側ユニットの各要部を示す側面図である。
【図２１】当接ローラに保持面が乗り上がっているときの筺体側ユニット及び扉側ユニットの各要部を示す側面図である。
【図２２】当接ローラの外周面の最も高い部分が保持面を越えたときの筺体側ユニット及び扉側ユニットの各要部を示す側面図である。
【図２３】扉が閉位置に回動したときの筺体側ユニット及び扉側ユニットの各要部を示す側面図である。
【図２４】扉が閉位置に回動し、係合部材が解除位置から係合位置に回動したときの筺体側ユニット及び扉側ユニットの各要部を示す側面図である。
【図２５】係合部材が中間位置に回動したときの筐体側ユニットと扉側ユニットとの各要部を示す側面図である。
【図２６】中間位置に回動した係合部材を解除距離だけ上方へ移動させたときの筐体側ユニットと扉側ユニットとの各要部を示す側面図である。
【符号の説明】
【００５４】
Ａ  筺体
Ｂ  扉
Ｇ  パチスロ機（ゲーム機）
１  ゲーム機用施錠装置
４  筺体側取付部材（第２取付部材）
４ｃ  係止部
５  扉側取付部材（第１取付部材）
６  ローラ（第１ロック部材）
７  可動板（可動部材）
８  鉤部材（第２ロック部材）
９  係合部材
９ａ  横孔（横溝）
９ｂ  縦孔（縦溝）
９ｆ  切欠き部
１１  シリンダ錠（錠前）
１３  解錠操作板（解錠部材）
１３ｄ  当接突起（阻止部）
１７  引っ張りコイルばね（付勢手段）
【図１】
2010131242.tif 000003
【図２】
2010131242.tif 000004
【図３】
2010131242.tif 000005
【図４】
2010131242.tif 000006
【図５】
2010131242.tif 000007
【図６】
2010131242.tif 000008
【図７】
2010131242.tif 000009
【図８】
2010131242.tif 000010
【図９】
2010131242.tif 000011
【図１０】
2010131242.tif 000012
【図１１】
2010131242.tif 000013
【図１２】
2010131242.tif 000014
【図１３】
2010131242.tif 000015
【図１４】
2010131242.tif 000016
【図１５】
2010131242.tif 000017
【図１６】
2010131242.tif 000018
【図１７】
2010131242.tif 000019
【図１８】
2010131242.tif 000020
【図１９】
2010131242.tif 000021
【図２０】
2010131242.tif 000022
【図２１】
2010131242.tif 000023
【図２２】
2010131242.tif 000024
【図２３】
2010131242.tif 000025
【図２４】
2010131242.tif 000026
【図２５】
2010131242.tif 000027
【図２６】
2010131242.tif 000028